(57)【要約】【課題】シート上に製造されたカラーフィルタのように、複数まとめて製造された製品の個々の品質を、発注者側で効率的に把握すること。【解決手段】本発明の製品情報提供システムによれば、製造者端末から製品情報を入力するように促す製品情報受付部２２と、製造者端末から入力された製品情報を取得し製品情報データベース２４に記憶する手段と、製品情報データベース２４に記憶された製品情報の中から何れかの製品情報を選択する選択情報を発注者端末から入力するように促す選択情報受付部３２と、発注者端末から入力された選択入力を取得し、この選択入力に対応する製品情報を製品情報データベース２４に記憶された製品情報の中から取得し、この取得した製品情報を発注者端末へ出力する製品情報出力部３４とを備える。【選択図】      図２
2005084716.tif 000002
【特許請求の範囲】
【請求項１】
発注者からの依頼に基づいて同一のシート上に複数の製品を製造し、前記シートを前記発注者へと納入する製造者が、前記同一のシート上に配置された各製品の情報を含む製品情報を通信ネットワークを用いて前記発注者へ提供する提供方法であって、
前記製造者に対し、前記通信ネットワークに接続された製造者端末から前記製品情報を入力するように促す製品情報入力段階と、
前記製造者端末から入力された製品情報を前記通信ネットワークを介して取得し、記憶媒体に記憶する製品情報記憶段階と、
前記発注者に対し、前記記憶媒体に記憶された製品情報の中から、何れかの製品情報を選択する選択情報を、前記通信ネットワークに接続された発注者端末から入力するように促す選択情報入力段階と、
前記発注者端末から入力された選択入力に対応する製品情報を、前記記憶媒体に記憶された製品情報の中から取得し、この取得した製品情報を前記発注者端末に出力する製品情報出力段階と
を備えた製品情報の提供方法。
【請求項２】
請求項１に記載の製品情報の提供方法において、
前記製品情報入力段階の前に、前記製造者に対して前記製造者毎に予め与えられた製造者識別情報を前記製造者端末から入力するように促す製造者識別情報入力段階と、前記製造者識別情報入力段階で入力された製造者識別情報が前記製造者毎に対して予め与えられたものであるか否かを判定する製造者識別情報判定段階とを更に備え、
前記製品情報入力段階は、前記製造者識別情報判定段階において前記製造者識別情報が前記製造者毎に対して予め与えられたものであると判定された場合には、前記製品情報を入力するように促すようにした製品情報の提供方法。
【請求項３】
請求項１または請求項２に記載の製品情報の提供方法において、
前記製品情報記憶段階と前記選択情報入力段階との間に、前記発注者に対して前記発注者毎に予め与えられた発注者識別情報を前記発注者端末から入力するように促す発注者識別情報入力段階と、前記発注者識別情報入力段階で入力された発注者識別情報が前記発注者毎に対して予め与えられたものであるか否かを判定する発注者識別情報判定段階とを更に備え、
前記選択情報入力段階は、前記発注者識別情報判定段階において前記発注者識別情報が前記発注者毎に対して予め与えられたものであると判定された場合には、前記選択情報を入力するように促すようにした製品情報の提供方法。
【請求項４】
請求項１乃至３のうち何れか１項に記載の製品情報の提供方法において、
前記製品情報は、同一のシート上に配置された各製品の品質情報を含んでいる製品情報の提供方法。
【請求項５】
請求項１乃至４のうち何れか１項に記載の製品情報の提供方法において、
前記製品情報は、対応するシートが収納された収納箱の収納箱識別情報を含んでおり、
前記製造者は、複数の前記シートを収納箱に収納し、前記収納箱毎に予め与えられた収納箱識別情報を記憶したＩＣタグを前記収納箱に取り付け、この収納箱を前記発注者へ出荷するようにした製品情報の提供方法。
【請求項６】
請求項５に記載の製品情報の提供方法において、
前記発注者に出荷された収納箱に取り付けられたＩＣタグに記憶された収納箱識別情報と、前記記憶媒体に記憶された製品情報に含まれる収納箱識別情報とが一致する場合には、この製品情報を前記記憶媒体から取得し、この取得した製品情報を前記発注者端末から出力させるようにした製品情報の提供方法。
【請求項７】
発注者からの依頼に基づいて同一のシート上に複数の製品を製造し、前記シートを前記発注者へと納入する製造者が、前記同一のシート上に配置された各製品の情報を含む製品情報を通信ネットワークを用いて前記発注者へ提供する提供システムであって、
前記製造者に対し、前記通信ネットワークに接続された製造者端末から前記製品情報を入力するように促す製品情報入力手段と、
前記製造者端末から入力された製品情報を前記通信ネットワークを介して取得し、記憶媒体に記憶する製品情報記憶手段と、
前記発注者に対し、前記記憶媒体に記憶された製品情報の中から、何れかの製品情報を選択する選択情報を、前記通信ネットワークに接続された発注者端末から入力するように促す選択情報入力手段と、
前記発注者端末から入力された選択入力を前記通信ネットワークを介して取得し、この選択入力に対応する製品情報を、前記記憶媒体に記憶された製品情報の中から取得し、この取得した製品情報を、前記通信ネットワークを介して前記発注者端末へ出力する製品情報出力手段と
を備えた製品情報の提供システム。
【請求項８】
請求項７に記載の製品情報の提供システムにおいて、
前記製造者端末から製品情報が入力される前に、前記製造者に対し、前記製造者端末から、前記製造者毎に予め与えられた製造者識別情報を入力するように促す製造者識別情報入力手段と、
前記予め与えられた製造者識別情報を、前記製造者と関連付けて記憶する製造者識別情報データベースと、
前記製造者端末から入力された製造者識別情報を、前記製造者識別情報データベースに記憶された製造者識別情報と照合する製造者識別情報照合手段とを更に備え、
前記製品情報入力手段は、前記製造者識別情報照合手段による照合の結果、両製造者識別情報が一致した場合に前記製品情報の入力を促すようにした製品情報の提供システム。
【請求項９】
請求項７または請求項８に記載の製品情報の提供システムにおいて、
前記発注者端末から選択情報が入力される前に、前記発注者に対し、前記発注者端末から、前記発注者毎に予め与えられた発注者識別情報を入力するように促す発注者識別情報入力手段と、
前記予め与えられた発注者識別情報を、前記発注者と関連付けて記憶する発注者識別情報データベースと、
前記発注者端末から入力された発注者識別情報を、前記発注者識別情報データベースに記憶された発注者識別情報と照合する発注者識別情報照合手段とを更に備え、
前記選択情報入力手段は、前記発注者識別情報照合手段による照合の結果、両発注者識別情報が一致した場合に前記選択情報の入力を促すようにした製品情報の提供システム。
【請求項１０】
請求項７乃至９のうち何れか１項に記載の製品情報の提供システムにおいて、
前記製品情報は、前記同一のシート上に配置された各製品の品質情報を含む製品情報の提供システム。
【請求項１１】
請求項７乃至１０のうち何れか１項に記載の製品情報の提供システムにおいて、
前記製品情報は、対応するシートが収納された収納箱の収納箱識別情報を含んでおり、
前記製造者は、複数の前記シートを収納箱に収納し、前記収納箱毎に予め与えられた収納箱識別情報を記憶したＩＣタグを前記収納箱に取り付け、この収納箱を前記発注者へ出荷するようにした製品情報の提供システム。
【請求項１２】
請求項１１に記載の製品情報の提供システムにおいて、
前記出荷された収納箱に取り付けられたＩＣタグに記憶された収納箱識別情報と、前記記憶媒体に記憶された製品情報に含まれる収納箱識別情報とが一致する場合には、この製品情報の内容を前記記憶媒体から取得し、この取得した製品情報を前記発注者端末から出力させる製品情報取得手段を更に備えた製品情報の提供システム。
【発明の詳細な説明】
【技術分野】
【０００１】
本発明は、例えばカラーフィルタのように同一のシート上に複数まとめて配置することによって製造する製品を納品する場合、それら同一のシート上に配置された製品個々の品質情報を含む製品情報を、納品先において容易に把握できるように提供する提供方法および提供システムに関する。
【背景技術】
【０００２】
従来、製造メーカ等の製造者が製品を製造した場合、製造された製品の不良の有無を検査する品質検査や、要求仕様通りの性能が得られるか否かを確認する性能検査が行われている。そして、これら検査の結果が、製品情報として、製品の製品番号に紐付けて管理されている。
【０００３】
そして、品質検査および性能検査ともに満足する結果が得られた製品のみを、良品として、顧客等の発注者に納品するようにしている。この場合、将来的なアフターサービスに対応できるように、個々の製品は、製品番号を刻印した銘版が取り付けられて納品される。
【０００４】
また、銘版に代えて製品情報をバーコードに記録し、このバーコードを刻印した製品を納品することもなされている。これによって、アフターサービス時には、製品に刻印されたバーコードから、製品情報を直接読み取ることによって、製造者側における製品情報の保管が不要となり、管理の効率化が図られている。
【０００５】
このように製品情報を記録するバーコードとしては、記録する製品情報の情報量によって１次元バーコードを用いる場合や、２次元コードを用いる場合がある（例えば特許文献１参照。）。
【０００６】
ところで、上述したような製品情報は、製造者が良品であると保証した製品のみを発注者に納入している場合には、発注者に対して提出することは希であった。すなわち、これによって、発注者は、いずれにせよ要求する性能を満足する製品のみを得ることができ、何の不都合もないからである。
【０００７】
このような背景の元、図１３に示すように、１枚のシート５０上に、例えば４行×４列からなる１６枚ずつまとめて製造されるカラーフィルタ５２では、同一のシート５０上に製造される全てのカラーフィルタ５２（＃１〜＃１６）のうち、何れか１つのカラーフィルタ５２のみに欠陥があり、その他全てのカラーフィルタ５２に欠陥がない場合であっても、納品されることなくシート５０毎廃棄されている。
【特許文献１】特開平７−２２５７９９号公報
【発明の開示】
【発明が解決しようとする課題】
【０００８】
しかしながら、カラーフィルタ５２は、そのサイズが年々大型化してきており、シート５０上の全てを欠陥をなく製造することは、現実的に極めて困難になってきている。このように、１つのカラーフィルタ５２の欠陥さえも許さないシート５０を製造するためには、当然のことながら歩留まりも低下し、製造コストのアップをもたらし、最終的には、発注者に課せられる料金の値上げとして跳ね返ってくる。
【０００９】
なお、上述したようにカラーフィルタ５２をシート５０のまま発注者に納入する形態の他に、図１４に示すように、シート５０からカラーフィルタ５２を１枚ずつ切り取り、カラーフィルタ５２毎に発注者に納入する形態も考えられる。この場合、製造者は、シート５０上に製造されたカラーフィルタ５２の中に万が一欠陥品（例えば、カラーフィルタ５２（＃１４）が欠陥品であったとする）があったとしても、この欠陥品を除外して納入すればよいので、発注者側に欠陥品を納入しなくてもよくなる。
【００１０】
しかしながら、発注者側としても、カラーフィルタ５２を用いて例えばパソコンのディスプレイを製造するような場合、製造効率の観点から考慮してみても、カラーフィルタ５２を一枚ずつ購入するよりも、シート５０の形態で購入した方が都合がよい。すなわち、偏光板、電極基板などをシート５０全体に一度に設けることができる。したがって、シート５０から良品のカラーフィルタ５２のみを、１枚のカラーフィルタ５２の形態として納入することは現実的ではない。
【００１１】
このため、カラーフィルタ５２の発注者の中には、発注コストの節約のために、欠陥があるカラーフィルタ５２が多少含まれたシート５０であっても安い料金での納品を許容することによって発注コストを節約する一方、製造者に対して、納入製品であるシート５０に加えて該シート５０上に製造されたカラーフィルタ５２個々の品質情報を含む製品情報の提出を要求し、この製品情報に基づいて、どのカラーフィルタ５２が欠陥品であるかを発注者側で把握し、使用の可否を自ら決定するようにすることを検討している者もいる。
【００１２】
しかしながら、このように発注者が自ら使用可否を検討するためには、これまで必要としていなかった新たな人手と時間とが発生する。当然のことながらこれらはコストアップの要因となる。これらによってアップするコストを、発注コストの節約分の範囲内に抑えなくてはトータルとしてのコストダウンが図ることができない。したがって、このような使用可否検討は、余分なコストがかからないよう、できる限り効率的に行う必要があることは言うまでもない。
【００１３】
使用可否検討の効率化を図る方法として、製造者に対しては、上述したようなバーコードを刻印した製品の納品を義務付ける一方、発注者側は、このバーコードから製品情報を読み取り、読み取った製品情報に基づいて使用可否を検討することが考えられる。
【００１４】
しかしながら、カラーフィルタ５２は、上述したようにシート５０上に数多くまとめて製造される。そして、１つのシート５０上に製造されるカラーフィルタ５２の数も年々増加傾向にある。これに伴って製品情報の量も増加するので、仮にシート５０上に１次元バーコードを付すようにしたとしても、この１次元バーコードに、全ての製品情報を記録するには限界がある。
【００１５】
２次元コードを用いれば、１次元バーコードよりも多くの情報を記録することができるので、上記事情は若干緩和されるが、２次元コードからの情報の読み取りは、短時間でなされるものではなく、使用可否検討に要する時間の短縮化を図ることができず、使用可否検討の効率化を図るための適切な方法とは言い難い。
【００１６】
本発明はこのような事情に鑑みてなされたものであり、製造者が同一のシート上に複数まとめて配置することによって製造した例えばカラーフィルタのような製品を、シート毎にまとめて発注者に対して納入する場合、各製品の情報を含む製品情報を、発注者が効率的に把握することができるように提供することが可能な製品情報の提供方法および提供システムを提供することを目的とする。
【課題を解決するための手段】
【００１７】
上記の目的を達成するために、本発明では、以下のような手段を講じる。
【００１８】
すなわち、請求項１の発明は、発注者からの依頼に基づいて同一のシート上に複数の製品を製造し、シートを発注者へと納入する製造者が、同一のシート上に配置された各製品の情報を含む製品情報を、通信ネットワークを用いて発注者へ提供する提供方法であって、製品情報入力段階と、製品情報記憶段階と、選択情報入力段階と、製品情報出力段階とを備えている。
【００１９】
製品情報入力段階では、製造者に対し、通信ネットワークに接続された製造者端末から製品情報を入力するように促し、製品情報記憶段階では、製造者端末から入力された製品情報を通信ネットワークを介して取得し、記憶媒体に記憶する。また、選択情報入力段階では、発注者に対し、記憶媒体に記憶された製品情報の中から、何れかの製品情報を選択する選択情報を、通信ネットワークに接続された発注者端末から入力するように促し、製品情報出力段階では、発注者端末から入力された選択入力に対応する製品情報を、記憶媒体に記憶された製品情報の中から取得し、この取得した製品情報を発注者端末に出力する。
【００２０】
従って、請求項１の発明の製品情報の提供方法においては、以上のような手段を講じることにより、製造者は、例えば複数のカラーフィルタのような製品をシート上に製造すると、各製品の情報を含む製品情報を製造者端末から入力し、入力した製品情報をインターネット等の通信ネットワークを介して記憶媒体に記憶させることができる。
【００２１】
一方、発注者は、発注者端末から通信ネットワークを介して記憶媒体にアクセスし、この記憶媒体に記憶された製品情報を取得することができる。これによって、発注者は、シート上に製造された各製品（例えば、各カラーフィルタ）の品質を、シートが納入される前であっても効率的に把握することができる。
【００２２】
請求項２の発明は、請求項１の発明の製品情報の提供方法において、製品情報入力段階の前に、製造者に対して製造者毎に予め与えられた製造者識別情報を製造者端末から入力するように促す製造者識別情報入力段階と、製造者識別情報入力段階で入力された製造者識別情報が製造者毎に対して予め与えられたものであるか否かを判定する製造者識別情報判定段階とを更に備えている。そして、製品情報入力段階は、製造者識別情報判定段階において製造者識別情報が製造者毎に対して予め与えられたものであると判定された場合には、製品情報を入力するように促す。
【００２３】
従って、請求項２の発明の製品情報の提供方法においては、以上のような手段を講じることにより、認証された製造者のみしか製造者端末を操作することができない。このため、第三者がいたずらな情報を記憶媒体に書き込んだりすることを阻止できるので、セキュリティの向上を図ることが可能となる。
【００２４】
請求項３の発明は、請求項１または請求項２の発明の製品情報の提供方法において、製品情報記憶段階と選択情報入力段階との間に、発注者に対して発注者毎に予め与えられた発注者識別情報を発注者端末から入力するように促す発注者識別情報入力段階と、発注者識別情報入力段階で入力された発注者識別情報が発注者毎に対して予め与えられたものであるか否かを判定する発注者識別情報判定段階とを更に備えている。そして、選択情報入力段階は、発注者識別情報判定段階において発注者識別情報が発注者毎に対して予め与えられたものであると判定された場合には、選択情報を入力するように促す。
【００２５】
従って、請求項３の発明の製品情報の提供方法においては、以上のような手段を講じることにより、認証された発注者のみしか発注者端末を操作することができない。このため、記憶媒体に書き込まれた製品情報が、第三者によって不正に読み出されることを阻止することができるので、セキュリティの向上を図ることが可能となる。
【００２６】
請求項４の発明は、請求項１乃至３のうち何れか１項の発明の製品情報の提供方法において、製品情報は、同一のシート上に配置された各製品の品質情報を含んでいる。
【００２７】
従って、請求項４の発明の製品情報の提供方法においては、以上のような手段を講じることにより、製造者が製造時に行った品質検査等の情報を、発注者側に効率良く伝達することができる。
【００２８】
請求項５の発明は、請求項１乃至４のうち何れか１項の発明の製品情報の提供方法において、製品情報は、対応するシートが収納された収納箱の収納箱識別情報を含んでおり、製造者は、複数のシートを収納箱に収納し、収納箱毎に予め与えられた収納箱識別情報を記憶したＩＣタグを収納箱に取り付け、この収納箱を発注者へ出荷する。
【００２９】
従って、請求項５の発明の製品情報の提供方法においては、以上のような手段を講じることにより、発注者は、製品情報を参照することによって、対応するシート、あるいは製品がどの収納箱に収納されて納入されたかを効率良く把握することができる。また、ＩＣタグに記憶された収納箱識別情報を読み取ることによって、収納箱識別情報を効率良く把握することができる。
【００３０】
請求項６の発明は、請求項５の発明の製品情報の提供方法において、発注者は、出荷された収納箱に取り付けられたＩＣタグに記憶された収納箱識別情報と、記憶媒体に記憶された製品情報に含まれる収納箱識別情報とが一致する場合には、製品情報を記憶媒体から取得し、この取得した製品情報を発注者端末から出力させる。
【００３１】
従って、請求項６の発明の製品情報の提供方法においては、以上のような手段を講じることにより、発注者は、収納箱のＩＣタグに記憶された収納箱識別情報を読み取り、この収納箱識別情報を含む製品情報を記憶媒体から読み出すことができるので、収納箱が納入されると、この収納箱に収納されているシートの製品情報をすぐに取得することができる。
【００３２】
請求項７の発明は、発注者からの依頼に基づいて同一のシート上に複数の製品を製造し、シートを発注者へと納入する製造者が、同一のシート上に配置された各製品の情報を含む製品情報を、通信ネットワークを用いて発注者へ提供する提供システムであって、製品情報入力手段と、製品情報記憶手段と、選択情報入力手段と、製品情報出力手段とを備えている。製品情報入力手段は、製造者に対し、通信ネットワークに接続された製造者端末から製品情報を入力するように促し、製品情報記憶手段は、製造者端末から入力された製品情報を通信ネットワークを介して取得し、記憶媒体に記憶する。また、選択情報入力手段は、発注者に対し、記憶媒体に記憶された製品情報の中から、何れかの製品情報を選択する選択情報を、通信ネットワークに接続された発注者端末から入力するように促し、製品情報出力手段は、発注者端末から入力された選択入力を通信ネットワークを介して取得し、この選択入力に対応する製品情報を、記憶媒体に記憶された製品情報の中から取得し、この取得した製品情報を、通信ネットワークを介して発注者端末へ出力する。
【００３３】
従って、請求項７の発明の製品情報の提供システムにおいては、以上のような手段を講じることにより、製造者は、例えば複数のカラーフィルタのような製品をシート上に製造すると、各製品の情報を含む製品情報を製造者端末から入力し、入力した製品情報をインターネット等の通信ネットワークを介して記憶媒体に記憶させることができる。
【００３４】
一方、発注者は、発注者端末から通信ネットワークを介して記憶媒体にアクセスし、この記憶媒体に記憶された製品情報を取得することができる。これによって、発注者は、シート上に製造された各製品（例えば、各カラーフィルタ）の品質を、シートが納入される前であっても効率的に把握することができる。
【００３５】
請求項８の発明は、請求項７の発明の製品情報の提供システムにおいて、製造者識別情報入力手段と、製造者識別情報データベースと、製造者識別情報照合手段とを更に備えている。製造者識別情報入力手段は、製造者端末から製品情報が入力される前に、製造者に対し、製造者端末から、製造者毎に予め与えられた製造者識別情報を入力するように促し、製造者識別情報データベースは、予め与えられた製造者識別情報を、製造者と関連付けて記憶し、製造者識別情報照合手段は、製造者端末から入力された製造者識別情報を、製造者識別情報データベースに記憶された製造者識別情報と照合する。そして、製品情報入力手段は、製造者識別情報照合手段による照合の結果、両製造者識別情報が一致した場合に製品情報の入力を促す。
【００３６】
従って、請求項８の発明の製品情報の提供システムにおいては、以上のような手段を講じることにより、認証された製造者のみしか製造者端末を操作することができない。このため、第三者がいたずらな情報を記憶媒体に書き込んだりすることを阻止できるので、セキュリティの向上を図ることが可能となる。
【００３７】
請求項９の発明は、請求項７または請求項８の発明の製品情報の提供システムにおいて、発注者識別情報入力手段と、発注者識別情報データベースと、発注者識別情報照合手段とを備えている。発注者識別情報入力手段は、発注者端末から選択情報が入力される前に、発注者に対し、発注者端末から、発注者毎に予め与えられた発注者識別情報を入力するように促し、発注者識別情報データベースは、予め与えられた発注者識別情報を、発注者と関連付けて記憶し、発注者識別情報照合手段は、発注者端末から入力された発注者識別情報を、発注者識別情報データベースに記憶された発注者識別情報と照合する。そして、選択情報入力手段は、発注者識別情報照合手段による照合の結果、両発注者識別情報が一致した場合に選択情報の入力を促す。
【００３８】
従って、請求項９の発明の製品情報の提供システムにおいては、以上のような手段を講じることにより、認証された発注者のみしか発注者端末を操作することができない。このため、記憶媒体に書き込まれた製品情報が、第三者によって不正に読み出されることを阻止することができるので、セキュリティの向上を図ることが可能となる。
【００３９】
請求項１０の発明は、請求項７乃至９のうち何れか１項の発明の製品情報の提供システムにおいて、製品情報は、同一のシート上に配置された各製品の品質情報を含んでいる。
【００４０】
従って、請求項１０の発明の製品情報の提供システムにおいては、以上のような手段を講じることにより、製造者が製造時におこなった品質検査等の情報を、発注者側に効率良く伝達することができる。
【００４１】
請求項１１の発明は、請求項７乃至１０のうち何れか１項の発明の製品情報の提供システムにおいて、製品情報は、対応するシートが収納された収納箱の収納箱識別情報を含んでおり、製造者は、複数のシートを収納箱に収納し、収納箱毎に予め与えられた収納箱識別情報を記憶したＩＣタグを収納箱に取り付け、この収納箱を発注者へ出荷する。
【００４２】
従って、請求項１１の発明の製品情報の提供システムにおいては、以上のような手段を講じることにより、発注者は、製品情報を参照することによって、対応するシート、あるいは製品がどの収納箱に収納されて納入されたかを効率良く把握することができる。また、ＩＣタグに記憶された収納箱識別情報を読み取ることによって、収納箱識別情報を効率良く把握することができる。
【００４３】
請求項１２の発明は、請求項１１の発明の製品情報の提供システムにおいて、出荷された収納箱に取り付けられたＩＣタグに記憶された収納箱識別情報と、記憶媒体に記憶された製品情報に含まれる収納箱識別情報とが一致する場合には、この製品情報の内容を記憶媒体から取得し、取得した製品情報を発注者端末から出力させる製品情報取得手段を更に備えている。
【００４４】
従って、請求項１２の発明の製品情報の提供システムにおいては、以上のような手段を講じることにより、発注者は、収納箱のＩＣタグに記憶された収納箱識別情報を読み取り、この収納箱識別情報を含む製品情報を記憶媒体から読み出すことができるので、収納箱が納入されると、この収納箱に収納されているシートの製品情報をすぐに取得することができる。
【発明の効果】
【００４５】
本発明の製品情報の提供方法および提供システムによれば、製造者は、シート上に複数の製品を製造すると、各製品の情報を含む製品情報を製造者端末から入力し、入力した製品情報をインターネット等の通信ネットワークを介して記憶媒体に記憶させることができる。
【００４６】
一方、発注者は、発注者端末から通信ネットワークを介して記憶媒体にアクセスし、この記憶媒体に記憶された製品情報を取得することができる。これによって、発注者は、シート上に製造された各製品の品質を、納入前であっても効率的に把握することが可能となる。
【発明を実施するための最良の形態】
【００４７】
以下に、本発明を実施するための最良の形態について図面を参照しながら説明する。なお、以下の形態の説明に用いる図中の符号は、図１３から図１４と同一部分については同一符号を付して示すことにする。
【００４８】
本発明の実施例を図１から図１２を用いて説明する。
【００４９】
図１は、本実施例に係る製品情報提供方法を適用した製品情報提供システムが適用されるネットワーク構成例を示す概念図である。
【００５０】
すなわち、本実施例に係る製品情報提供方法を適用した製品情報提供システム１０は、インターネット等の通信ネットワーク４０，４２を介して、製造者端末４４および発注者端末４６にそれぞれ接続している。製造者端末４４および発注者端末４６はそれぞれＩＣタグ読取・書込装置４５，４７を備えている。また、図示しないマウスやキーボード等の入力手段を備えている。
【００５１】
本実施例では、製造者側では、カラーフィルタ５２を製造し、それらを図１３に示すようにマトリクス状に配置したシート５０を発注者側に納入する場合を例にとって説明する。これに応じて、製造者側には、同一のシート５０上に配置されたカラーフィルタ５２の欠陥の有無を検査する検査装置４８と、検査装置４８によって得られた品質情報を含んだ製品情報を格納する製品情報データベース４９とを備えている。製品情報データベース４９に格納されている製品情報は、必要に応じて製造者端末４４に取り込まれるようにしている。
【００５２】
なお、図１では、製造者端末４４および発注者端末４６ともにそれぞれ単数のみ示しているが、これらは何れも単数に限るものではなく、それぞれ複数ある場合であっても、本実施例に係る製品情報提供方法を適用した製品情報提供システム１０は適用可能である。また、図１に示すようなネットワークシステムでは、イーサネット等のＬＡＮ、あるいは公衆回線や専用回線を介して複数のＬＡＮが接続されるＷＡＮ等からなる。ＬＡＮの場合には、必要に応じてルータを介した多数のサブネットから構成される。また、ＷＡＮの場合には、公衆回線に接続するためのファイアウォール等を適宜備えているが、ここではその図示及び詳細説明を省略する。
【００５３】
図２は、本実施例に係る製品情報提供方法を適用した製品情報提供システムの構成例を示す機能ブロック図である。
【００５４】
すなわち、本実施例に係る製品情報提供方法を適用した製品情報提供システム１０は、中央制御部１２と、通信部１４と、製造者識別情報受付部１６と、製造者識別情報データベース１８と、製造者識別情報照合部２０と、製品情報受付部２２と、製品情報データベース２４と、発注者識別情報受付部２６と、発注者識別情報データベース２８と、発注者識別情報照合部３０と、選択情報受付部３２と、製品情報出力部３４とを備えている。
【００５５】
中央制御部１２は、製品情報提供システム１０の全体制御を司る部位であって、各部位から情報を受け取り、受け取った情報を所定の部位に出力して、この情報を用いた所定の処理を実行させる。
【００５６】
通信部１４は、通信ネットワーク４０および通信ネットワーク４２を介して製造者端末４４および発注者端末４６から送信される情報を受信し、受信した情報を中央制御部１２へ出力する。また逆に、中央制御部１２から出力された情報を受け取り、通信ネットワーク４０を介して製造者端末４４へ、通信ネットワーク４２を介して発注者端末４６へとそれぞれ送信する。
【００５７】
製造者識別情報受付部１６は、図３に示すような入力画面を、製造者端末４４から表示させる。この入力画面には、ＩＤ番号入力欄３６と、パスワード入力欄３７と、ＯＫ釦３８と、取消釦３９とが表示される。これによって、製造者に対して、製造者端末４４から、ＩＤ番号とパスワードとを入力するように促す。ＩＤ番号とパスワードとは、製造者毎に予め与えられた製造者識別情報である。製品情報提供システム１０側では、このような製造者識別情報を予め各製造者に与えておき、与えた製造者識別情報を製造者識別情報データベース１８に格納している。
【００５８】
製造者側では、シート５０を製造すると、該シート５０上に配置された各カラーフィルタ５２について、検査装置４８を用いて欠陥の有無を検査する。そして、その検査結果に基づいて製品情報を作成し、製品情報データベース４９に格納する。この検査結果は、検査装置４８が作成しても、あるいは製造者が図示しない入力手段から入力し、製品情報データベース４９に格納するようにしても良い。
【００５９】
製品情報は図４に示すように、シート番号と、収納箱番号と、収納段数と、製造日と、出荷予定日と、納入先と、発注番号と、品質情報と、不良個数と、不良理由とからなるデータ構成をしている。
【００６０】
シート番号は、シート５０に固有に付された番号であり、収納箱番号とは、このシート５０が収納される収納箱に固有に付された番号である。また、収納段数とは、収納箱における収納位置に相当する。すなわち、シート５０が発注者に対して納入される場合には、複数のシート５０を収納した収納箱を納入することによってなされるようにしている。製造日は、シート５０が製造された年月日を、出荷予定日はシート５０が出荷される予定年月日である。納入先コードは発注者毎に予め付与したコードで、発注番号は納入先コードにシリアル番号を加えたものとしている。
【００６１】
品質情報は、シート５０上に配置された全てのカラーフィルタ５２について、欠陥が有るカラーフィルタ５２を「１」で、欠陥が無いカラーフィルタ５２を「０」で示している。図４の製品情報に示す品質情報は、図１３に示すように４行×４列のマトリクス状に１６個のカラーフィルタ５２が配置されたシート５０に対する例である。そして、１６個のそれぞれのカラーフィルタ５２について、図１３に示すように１から１６までの番号を予め決めておく。これによって、品質情報「０００１０００００００１００００」は、４番目のカラーフィルタ５２（＃４）と、１２番目のカラーフィルタ５２（＃１２）とが欠陥品であることを示している。
【００６２】
不良製品個数は、品質情報における「１」の個数である。不良理由は、不良製品毎に存在し、各不良製品の不良理由を、予め定義されたコードで示している。
【００６３】
製造者側は、このような製品情報を製品情報データベース４９に格納すると、この製品情報を製品情報提供システム１０に出力するために、マウスやキーボードを操作することによって、図３のように製造者端末４４から表示された入力画面のＩＤ番号入力欄３６およびパスワード入力欄３７に、自己に与えられたＩＤ番号とパスワードとをそれぞれ入力する。そして、マウスでＯＫ釦３８をクリックすることによって、入力された製造者識別情報が通信ネットワーク４０を介して製品情報提供システム１０側へと送信されるようにしている。マウスで取消釦３９をクリックすると、入力したデータがキャンセルされ、正しいデータを再入力できるようにしている。
【００６４】
このようにして送信された製造者識別情報は、通信部１４によって受信され、中央制御部１２によって製造者識別情報照合部２０へ出力されるようにしている。
【００６５】
製造者識別情報照合部２０は、このようにして製造者識別情報が入力されると、この製造者識別番号と、製造者識別情報データベース１８に記憶された製造者識別情報とを照合する。そして、照合の結果、両製造者識別情報が一致した場合には、照合信号を生成し、中央制御部１２へと出力する。
【００６６】
中央制御部１２は、製造者識別情報照合部２０から照合信号が出力されると、製品情報受付部２２に対して、製造者端末４４から製品情報を取得するように指示する。これにしたがって製品情報受付部２２は、製造者端末４４から図５に示すような画面を表示させることによって、製品情報の送信を促す。
【００６７】
これに対し、製造者が、製造者端末４４のマウスを操作して選択釦５５をマークすることによりシート番号を選択し、更に送信釦５４をクリックすることによって、選択されたシート番号に対応する製品情報が製品情報データベース４９から読み出され、更に通信ネットワーク４０を介して製品情報提供システム１０側へと送信されるようにしている。なお、製品情報データベース４９から製品情報を一旦製造者端末４４に読み出し、製造者端末４４においてデータの追加・修正を行った後に通信ネットワーク４０を介して製品情報提供システム１０側へと送信されるような構成とすることも可能である。
【００６８】
このようにして送信された製品情報は、通信部１４によって受信され、中央制御部１２によって製品情報データベース２４に記憶されるようにしている。
【００６９】
一方、発注者識別情報受付部２６は、発注者端末４６から、図３に示すような入力画面を表示させる。これによって、発注者に対して、発注者端末４６から、ＩＤ番号とパスワードとを入力するように促す。ＩＤ番号とパスワードとは、発注者毎に予め与えられた発注者識別情報である。製品情報提供システム１０側では、このような発注者識別情報を予め各発注者に与え、与えた発注者識別情報を発注者識別情報データベース２８に格納している。
【００７０】
発注者側は、製品情報データベース２４から製品情報を取得する場合には、マウスやキーボードを操作することによって、図３のように製造者端末４４から表示された入力画面のＩＤ番号入力欄３６およびパスワード入力欄３７に、自己に与えられたＩＤ番号とパスワードとをそれぞれ入力する。そして、マウスでＯＫ釦３８をクリックすることによって、入力された発注者識別情報が通信ネットワーク４２を介して製品情報提供システム１０側へと送信されるようにしている。マウスで取消釦３９をクリックすると、入力したデータがキャンセルされ、正しいデータを再入力できるようにしている。
【００７１】
このようにして送信された発注者識別情報は、通信部１４によって受信され、中央制御部１２によって発注者識別情報照合部３０へ出力されるようにしている。
【００７２】
発注者識別情報照合部３０は、このようにして発注者識別情報が入力されると、この発注者識別番号と、発注者識別情報データベース２８に記憶された発注者識別情報とを照合する。そして、照合の結果、両発注者識別情報が一致した場合には、照合信号を生成し、中央制御部１２へと出力する。
【００７３】
中央制御部１２は、発注者識別情報照合部３０から照合信号が出力されると、選択情報受付部３２に対して、発注者端末４６からの選択情報の受付を許可する。この選択情報とは、発注者端末４６が、製品情報データベース２４に格納された製品情報の中から読み出したい製品情報を指定する情報である。これにしたがって選択情報受付部３２は、発注者端末４６から図５に示すように、製品情報データベース２４に格納された製品情報のリストを表示させることによって、読み出す製品情報の選択を促す。
【００７４】
これに対し、発注者が、発注者端末４６のマウスを操作して選択釦５５をマークすることによりシート番号を選択し、更に送信釦５４をクリックすることによって、選択情報が生成され、通信ネットワーク４２を介して製品情報提供システム１０側へと送信されるようにしている。
【００７５】
このようにして送信された選択情報は、通信部１４によって受信され、中央制御部１２によって製品情報出力部３４へ出力されるようにしている。
【００７６】
製品情報出力部３４は、選択情報に対応する製品情報を、製品情報データベース２４の中から取得し、この取得した製品情報に基づいて、図６に示すような画面を作成し、発注者端末４６から表示させる。なお、図６において、不良製品の位置（Ｘ、Ｙ）とは、製品情報の品質情報から不良のあるカラーフィルタ５２の配置場所を特定し、それをＸＹ座標に変換して得たものである。発注者は、発注者端末４６からこのように表示された画面を参照することによって、製品の納入に先立って、欠陥のあるカラーフィルタ５２を把握できるようにしている。
【００７７】
さて、製造者側で製造されたシート５０が、発注者側に納入される場合には、図７に示すように、収納箱５６に収納されて納入される。収納箱５６は、例えば２０枚のシート５０を縦置きで収納することができ、側面にＩＣタグ５８を取り付けている。製造者側では、各収納箱５６に固有の収納箱番号を付し、この収納箱番号をＩＣタグ読取・書込装置４５によってＩＣタグ５８に書き込む。この収納箱番号は、図４に示す製品情報における収納箱番号と同一のものである。なお、ＩＣタグ５８に書き込む情報は、収納箱番号に限定しなくても良く、製造日、出荷予定日、納入先コード、発注番号など、記憶容量の許す範囲において製品情報の一部を適宜書き込むようにしても良い。
【００７８】
このような収納箱５６が発注者側に納入されると、発注者側では、発注者端末４６に備えられたＩＣタグ読取・書込装置４７によって、ＩＣタグ５８に書き込まれた情報の読み取りを行う。
【００７９】
すると、発注者端末４６は、ＩＣタグ読取・書込装置４７によって読み取られた情報を取得する。その後、上述したように、発注者識別情報受付部２６と発注者識別情報照合部３０によってなされる発注者の認証処理によって、製品情報提供システム１０からアクセスの許可を受けた後に、この読み取った情報を、通信ネットワーク４２を介して製品情報提供システム１０側へと送信する。このようにして送信された情報は、通信部１４によって受信され、中央制御部１２によって製品情報出力部３４へ出力されるようにしている。
【００８０】
製品情報出力部３４は、この情報に含まれる収納箱番号に基づいて、同一の収納箱番号である製品情報を製品情報データベース２４から取得し、この取得した製品情報に基づいて、図６に示すような画面を作成し、発注者端末４６から表示させる。発注者は、このようにして、製品が納入された時点で効率良く製品情報を取得することができ、それを参照することによって、欠陥のあるカラーフィルタ５２を把握できるようにしている。なお、収納箱番号はＩＣタグを使わずに収納箱にコードを印字する形態としても良い。
【００８１】
次に、以上のように構成した本実施例に係る製品情報提供方法を適用した製品情報提供システムの動作について説明する。
【００８２】
まず、製造者によって製品情報が、製品情報提供システム１０の製品情報データベース２４に記憶されるまでの動作について図８および図９に示すフローチャートを用いて説明する。
【００８３】
製造者によって、複数のカラーフィルタ５２をマトリクス状に配置したシート５０が製造される（Ｓ１）と、各カラーフィルタ５２について、検査装置４８を用いて欠陥の有無が検査される（Ｓ２）。そして、その検査結果に基づいて製品情報が作成され（Ｓ３）、製品情報データベース４９に格納される（Ｓ４）。
【００８４】
次に、製造者が、製品情報を、製品情報提供システム１０に登録するために製造者端末４４から製品情報提供システム１０へのアクセスを試みると、製造者端末４４の画面からは、製造者識別情報受付部１６によって、図３に示すような入力画面が表示される。この入力画面には、ＩＤ番号入力欄３６と、パスワード入力欄３７と、ＯＫ釦３８と、取消釦３９とが表示される。これによって、製造者は、製造者端末４４から、ＩＤ番号とパスワードとを入力するように促される（Ｓ５）。このＩＤ番号とパスワードとからなる製造者識別情報は、製品情報提供システム１０によって予め各製造者に対して与えられているとともに、製造者識別情報データベース１８に格納されている。
【００８５】
これに対して製造者側がマウスやキーボードを操作することによって、自己に与えられたＩＤ番号とパスワードとをそれぞれ入力し、マウスでＯＫ釦３８をクリックすることによって、入力された製造者識別情報が通信ネットワーク４０を介して製品情報提供システム１０側へと送信される（Ｓ６）。なお、マウスで取消釦３９をクリックすると、入力したデータがキャンセルされ、正しいデータを再入力することができる状態となる。このようにして送信された製造者識別情報は、通信部１４によって受信され、中央制御部１２によって製造者識別情報照合部２０へ出力される。
【００８６】
製造者識別情報照合部２０では、この製造者識別番号と、製造者識別情報データベース１８に記憶された製造者識別情報とが照合される。そして、照合の結果、両製造者識別情報が一致した場合（Ｓ７：Ｙｅｓ）には、製造者端末４４から製品情報提供システム１０へのアクセスが許可され（Ｓ８）、一致しない場合（Ｓ７：Ｎｏ）には、製造者端末４４からのアクセスが許可されず（Ｓ１２）、ステップＳ５の処理に戻る。
【００８７】
アクセスが許可されると更に製造者識別情報照合部２０によって照合信号が生成され、中央制御部１２へと出力される。そして中央制御部１２では、製造者識別情報照合部２０から照合信号が出力されると、製品情報受付部２２に対して、製造者端末４４から製品情報を取得するよう指示がなされる。これにしたがって製品情報受付部２２が動作することによって、製造者端末４４からは、図５に示すような画面が表示され、製造者に対して製品情報の送信が促される（Ｓ９）。
【００８８】
これに対し製造者が、製造者端末４４のマウスを操作して選択釦５５をマークすることによりシート番号が選択される。更に送信釦５４をクリックすることによって、選択されたシート番号に対応する製品情報が製品情報データベース４９から読み出され、更に通信ネットワーク４０を介して製品情報提供システム１０側へと送信される（Ｓ１０）。なお、製品情報データベース４９から製品情報を一旦製造者端末４４に読み出し、製造者端末４４においてデータの追加・修正を行った後に通信ネットワーク４０を介して製品情報提供システム１０側へと送信するようにしても良い。
【００８９】
このようにして送信された製品情報は、通信部１４によって受信され、中央制御部１２によって製品情報データベース２４に記憶される（Ｓ１１）。
【００９０】
次に、製品情報提供システム１０の製品情報データベース２４に記憶された製品情報が発注者によって読み出されるまでの動作について図１０に示すフローチャートを用いて説明する。
【００９１】
すなわち、発注者が、製品情報を読み出すために発注者端末４６から製品情報提供システム１０へのアクセスを試みる（Ｓ２１）と、発注者識別情報受付部２６によって、発注者端末４６から図３に示すような入力画面が表示される。これによって、発注者は、発注者端末４６から、ＩＤ番号とパスワードとを入力するように促される（Ｓ２２）。このＩＤ番号とパスワードからなる発注者識別情報は、発注者毎に予め与えられているとともに、発注者識別情報データベース２８に格納されている。
【００９２】
これに対して発注者側がマウスやキーボードを操作することによって、自己に与えられたＩＤ番号とパスワードとをそれぞれ入力し、マウスでＯＫ釦３８をクリックすることによって、入力された発注者識別情報が通信ネットワーク４２を介して製品情報提供システム１０側へと送信される（Ｓ２３）。なお、マウスで取消釦３９をクリックすると、入力したデータがキャンセルされ、正しいデータを再入力することができる状態となる。このようにして送信された発注者識別情報は、通信部１４によって受信され、中央制御部１２によって発注者識別情報照合部３０へ出力される。
【００９３】
発注者識別情報照合部３０では、この発注者識別情報と、発注者識別情報データベース２８に記憶された発注者識別情報とが照合される。そして、照合の結果、両発注者識別情報が一致した場合（Ｓ２４：Ｙｅｓ）には、発注者端末４６から製品情報提供システム１０へのアクセスが許可され（Ｓ２５）、一致しない場合（Ｓ２４：Ｎｏ）には、発注者端末４６からのアクセスが許可されず（Ｓ２９）、ステップＳ２２の処理に戻る。
【００９４】
アクセスが許可されると更に発注者識別情報照合部３０によって照合信号が生成され、中央制御部１２へと出力される。そして中央制御部１２では、選択情報受付部３２に対して、発注者端末４６からの選択情報の受付を許可するよう指示がなされる。これにしたがって選択情報受付部３２が動作することによって、発注者端末４６からは、図５に示すような画面が表示され、発注者に対して製品情報の選択が促される（Ｓ２６）。
【００９５】
これに対して発注者が、発注者端末４６のマウスを操作して選択釦５５をマークすることによりシート番号が選択される。更に送信釦５４をクリックすることによって、選択情報が生成され、通信ネットワーク４２を介して製品情報提供システム１０側へと送信される（Ｓ２７）。
【００９６】
このようにして送信された選択情報は、通信部１４によって受信され、中央制御部１２によって製品情報出力部３４へ出力される。すると製品情報出力部３４では、選択情報に対応する製品情報が、製品情報データベース２４の中から取得される。更に、この取得した製品情報に基づいて、図６に示すような画面が作成され、発注者端末４６から表示される（Ｓ２８）。発注者端末４６からこのように表示された画面が参照されることによって、製品の納入に先立って、欠陥のあるカラーフィルタ５２が、発注者によって予め把握される。
【００９７】
次に、製造者から発注者に対して、製品が納入される場合の動作について図１１および図１２に示すフローチャートを用いて説明する。
【００９８】
製造者によって、複数のカラーフィルタ５２をマトリクス状に配置したシート５０が製造される（Ｓ１）と、図８のフローチャートのステップＳ２およびステップＳ３で説明したように製品情報が作成されるとともに、以下に示すようにして、発注者への納入作業が行われる。なお、ここでいうステップＳ１もまた、図８のフローチャートに示すステップＳ１と同一である。
【００９９】
まず、ステップＳ１で製造されたシート５０は、図７に示すように、側面にＩＣタグ５８が取り付けられた収納箱５６に、所定数（例えば２０枚）毎に収納される（Ｓ３１）。更に各収納箱５６には、それぞれ固有の収納箱番号が付され（Ｓ３２）、この収納箱番号が、ＩＣタグ読取・書込装置４５によってＩＣタグ５８に書き込まれる（Ｓ３３）。なお、ＩＣタグ５８に書き込む情報は、収納箱番号に限定しなくても良く、製造日、出荷予定日、納入先、発注番号など、記憶容量の許す範囲において製品情報の一部を適宜書き込むようにしても良い。しかる後に、収納箱５６は発注者側に納入される（Ｓ３４）。
【０１００】
このような収納箱５６が発注者側に納入されると、発注者端末４６に備えられたＩＣタグ読取・書込装置４７によって、ＩＣタグ５８に書き込まれた情報が読み取られる（Ｓ３５）。
【０１０１】
そして、発注者が、発注者端末４６から製品情報提供システム１０へのアクセスを試みる（Ｓ３６）ことによって、発注者識別情報受付部２６によって、発注者端末４６から図３に示すような入力画面が表示される。これによって、発注者は、発注者端末４６から、ＩＤ番号とパスワードとを入力するように促される（Ｓ３７）。
【０１０２】
これに対して発注者側がマウスやキーボードを操作することによって、自己に与えられたＩＤ番号とパスワードとをそれぞれ入力し、マウスでＯＫ釦３８をクリックすることによって、入力された発注者識別情報が通信ネットワーク４２を介して製品情報提供システム１０側へと送信される（Ｓ３８）。なお、マウスで取消釦３９をクリックすると、入力したデータがキャンセルされ、正しいデータを再入力することができる状態となる。このようにして送信された発注者識別情報は、通信部１４によって受信され、中央制御部１２によって発注者識別情報照合部３０へ出力される。
【０１０３】
発注者識別情報照合部３０では、この発注者識別情報と、発注者識別情報データベース２８に記憶された発注者識別情報とが照合される。そして、照合の結果、両発注者識別情報が一致した場合（Ｓ３９：Ｙｅｓ）には、発注者端末４６から製品情報提供システム１０へのアクセスが許可され（Ｓ４０）、一致しない場合（Ｓ３９：Ｎｏ）には、発注者端末４６からのアクセスが許可されず（Ｓ４３）、ステップＳ３７の処理に戻る。
【０１０４】
ステップＳ４０においてアクセスが許可されると、ステップＳ３５において読み取られた情報が、通信ネットワーク４２を介して製品情報提供システム１０側へと送信される（Ｓ４１）。このようにして送信された情報は、通信部１４によって受信され、中央制御部１２によって製品情報出力部３４へ出力される。
【０１０５】
すると、この情報に含まれる収納箱番号に基づいて製品情報出力部３４によって、同一の収納箱番号である製品情報が製品情報データベース２４から取得される。そして、この取得した製品情報に基づいて、図６に示すような画面が作成され、発注者端末４６から表示される（Ｓ４２）。発注者端末４６からこのように表示された画面が参照されることによって、製品が納入された時点で効率良く、かつ確実に製品情報が発注者によって取得される。
【０１０６】
上述したように、本実施例に係る製品情報提供方法を適用した製品情報提供システムにおいては、上記のような作用により、製造者は、複数のカラーフィルタ５２がマトリクス状に配置されてなるシート５０を製造すると、各シート５０の品質情報を含む製品情報を製造者端末４４から入力し、入力した製品情報をインターネット等の通信ネットワーク４０を介して製品情報提供システム１０の製品情報データベース２４へ記憶させることができる。
【０１０７】
一方、発注者は、発注者端末４６から通信ネットワーク４２を介して製品情報提供システム１０へとアクセスし、製品情報データベース２４に記憶された製品情報の中から所望の製品情報を取得することができる。これによって、発注者は、各カラーフィルタ５２の品質を、納入前であっても効率的に把握することが可能となる。
【０１０８】
更に、製造者から発注者へのシート５０の納入時には、収納箱５６に取り付けられたＩＣタグ５８に記憶された情報に基づいて、収納されているシート５０の製品情報を製品情報データベース２４から取得することができるので、各カラーフィルタ５２の品質を、取り違えることなく確実に把握することができる。
【０１０９】
なお、製造者端末４４および発注者端末４６からアクセス要求があった場合には、予めＩＤ番号とパスワードとからなる製造者識別情報および発注者識別情報に基づいて認証処理を行い、認証された製造者および発注者のみからのアクセスが許可されるので、製造者や発注者へなりすました第三者によるアクセスを阻止することができる。これにより、でたらめな製品情報が製品情報データベース２４に記憶されたり、製品情報データベース２４に記憶された製品情報が発注者以外によって不正に読み取られないようなセキュリティ対策を講じることができる。
【０１１０】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【０１１１】
【図１】本発明の実施例に係る製品情報提供方法を適用した製品情報提供システムが適用されるネットワーク構成例を示す概念図。
【図２】本発明の実施例に係る製品情報提供方法を適用した製品情報提供システムの構成例を示す機能ブロック図。
【図３】製造者端末および発注者端末からＩＤ番号とパスワードとを入力するための入力画面の一例を示す模式図。
【図４】製品情報の一例を示すデータ構成図。
【図５】製造者端末から表示される製品情報の選択画面の一例を示す模式図。
【図６】発注者端末から表示される製品情報の一例を示す模式図。
【図７】収納箱の構成例を示す斜視図。
【図８】製品情報が製品情報データベースに記憶されるまでの動作を示すフローチャート（その１）。
【図９】製品情報が製品情報データベースに記憶されるまでの動作を示すフローチャート（その２）。
【図１０】製品情報データベースに記憶された製品情報が発注者端末によって読み出されるまでの動作を示すフローチャート。
【図１１】製造者から発注者に対して製品が納入される場合の動作を示すフローチャート（その１）。
【図１２】製造者から発注者に対して製品が納入される場合の動作を示すフローチャート（その２）。
【図１３】シート上にマトリクス状に配置して製造されたカラーフィルタの一例を示す概念図。
【図１４】カラーフィルタを一枚ずつ納入する場合を説明するための概念図。
【符号の説明】
【０１１２】
１０…製品情報提供システム、１２…中央制御部、１４…通信部、１６…製造者識別情報受付部、１８…製造者識別情報データベース、２０…製造者識別情報照合部、２２…製品情報受付部、２４…製品情報データベース、２６…発注者識別情報受付部、２８…発注者識別情報データベース、３０…発注者識別情報照合部、３２…選択情報受付部、３４…製品情報出力部、３６…ＩＤ番号入力欄、３７…パスワード入力欄、３８…ＯＫ釦、３９…取消釦、４０，４２…通信ネットワーク、４４…製造者端末、４５，４７…ＩＣタグ読取・書込装置、４６…発注者端末、４８…検査装置、４９…製品情報データベース、５０…シート、５２…カラーフィルタ、５４…送信釦、５５…選択釦、５６…収納箱、５８…ＩＣタグ
【図１】
2005084716.tif 000003
【図２】
2005084716.tif 000004
【図３】
2005084716.tif 000005
【図４】
2005084716.tif 000006
【図５】
2005084716.tif 000007
【図６】
2005084716.tif 000008
【図７】
2005084716.tif 000009
【図８】
2005084716.tif 000010
【図９】
2005084716.tif 000011
【図１０】
2005084716.tif 000012
【図１１】
2005084716.tif 000013
【図１２】
2005084716.tif 000014
【図１３】
2005084716.tif 000015
【図１４】
2005084716.tif 000016